(57)【特許請求の範囲】
【請求項１】
部屋の温度環境に影響を与える前記部屋外の外部環境情報を取得する外部環境情報取得部と、
温度環境に関わる前記部屋の環境性能情報を記憶する環境性能記憶部と、
前記部屋内の人が快適と感じる標準的な快適温度を記憶する快適温度記憶部と、
前記部屋の温度環境を制御する環境制御機器の消費エネルギーを計測する消費エネルギー計測部と、
前記外部環境情報取得部が取得した前記外部環境情報と前記部屋の前記環境性能情報とに基づいて、前記部屋の温度を前記快適温度に保つために必要となる前記環境制御機器の許容消費エネルギーを算出する許容消費エネルギー算出部と、
前記許容消費エネルギー算出部によって算出された許容消費エネルギーと、前記消費エネルギー計測部によって計測された消費エネルギーとを比較して、省エネルギーを実現するためのアドバイスを報知手段から出力させるアドバイス出力部とを備え、
前記許容消費エネルギー算出部は、前記環境性能記憶部から取得した前記部屋の環境性能情報と、前記外部環境情報取得部から取得した前記外部環境情報とに基づいて、前記環境制御機器が使用されない状態での前記部屋の温度を推定し、この推定温度と前記快適温度との温度差を調整するために必要な消費エネルギーを前記許容消費エネルギーとして算出することを特徴とするエネルギー管理装置。
【請求項２】
前記部屋の温度環境に関わる内部環境情報を取得する内部環境情報取得部と、
前記外部環境情報取得部が取得した外部環境情報及び前記内部環境情報取得部が取得した内部環境情報に基づいて、前記部屋の温度環境に関わる環境性能情報を求め、前記環境性能記憶部に記憶させる環境性能計測部とを備えたことを特徴とする請求項１記載のエネルギー管理装置。
【請求項３】
現在の日時情報を取得する日時情報取得部を備え、
前記快適温度記憶部には、季節及び時間帯に応じた快適温度が記憶されており、
前記許容消費エネルギー算出部は、前記日時情報取得部が取得した現在の日時情報に対応する快適温度を前記快適温度記憶部から取得し、前記部屋の温度を前記快適温度に保つために必要な前記環境制御機器の許容消費エネルギーを算出することを特徴とする請求項１又は２の何れかに記載のエネルギー管理装置。
【請求項４】
前記部屋の温度環境に関わる内部環境情報として前記部屋内の温度を取得する内部環境情報取得部と、
前記消費エネルギーの計測値と前記許容消費エネルギーとの差、及び、前記部屋の温度と前記快適温度との差の組み合わせに基づいて、使用者に提示するアドバイスが記憶されたアドバイス記憶テーブルを備え、
前記アドバイス出力部は、前記消費エネルギー計測部によって計測された消費エネルギーと、前記許容消費エネルギー算出部によって算出された許容消費エネルギーとの差を求めるとともに、前記内部環境情報取得部が取得した前記部屋の温度と、前記快適温度の差を求め、前記アドバイス記憶テーブルから該当するアドバイスを取得して、前記報知手段に出力することを特徴とする請求項１乃至３の何れか１項に記載のエネルギー管理装置。
【請求項５】
部屋の温度環境に影響を与える前記部屋外の外部環境情報を取得する外部環境情報取得部と、
温度環境に関わる前記部屋の環境性能情報を記憶する環境性能記憶部と、
前記部屋内の人が快適と感じる標準的な快適温度を記憶する快適温度記憶部と、
前記部屋の温度環境を制御する環境制御機器の消費エネルギーを計測する消費エネルギー計測部と、
前記外部環境情報取得部が取得した前記外部環境情報と前記部屋の前記環境性能情報とに基づいて、前記部屋の温度を前記快適温度に保つために必要となる前記環境制御機器の許容消費エネルギーを算出する許容消費エネルギー算出部と、
前記許容消費エネルギー算出部によって算出された許容消費エネルギーと、前記消費エネルギー計測部によって計測された消費エネルギーとを比較して、省エネルギーを実現するためのアドバイスを報知手段から出力させるアドバイス出力部とを備え、
前記環境性能記憶部には、建物内にある複数の部屋の各々について、季節毎の環境性能情報が記憶されており、
現在の日時情報を取得する日時情報取得部と、
前記日時情報取得部から入力された日時情報をもとに現在の季節を判断し、前記環境性能記憶部に記憶された、現在の季節における各部屋の前記環境性能情報に基づいて、許容消費エネルギーが最小となる部屋を求め、この部屋名を前記報知手段に出力する行動提案判断部とを備えたことを特徴とするエネルギー管理装置。
【請求項６】
部屋の温度環境に影響を与える前記部屋外の外部環境情報を取得する外部環境情報取得部と、
温度環境に関わる前記部屋の環境性能情報を記憶する環境性能記憶部と、
前記部屋内の人が快適と感じる標準的な快適温度を記憶する快適温度記憶部と、
前記部屋の温度環境を制御する環境制御機器の消費エネルギーを計測する消費エネルギー計測部と、
前記外部環境情報取得部が取得した前記外部環境情報と前記部屋の前記環境性能情報とに基づいて、前記部屋の温度を前記快適温度に保つために必要となる前記環境制御機器の許容消費エネルギーを算出する許容消費エネルギー算出部と、
前記許容消費エネルギー算出部によって算出された許容消費エネルギーと、前記消費エネルギー計測部によって計測された消費エネルギーとを比較して、省エネルギーを実現するためのアドバイスを報知手段から出力させるアドバイス出力部とを備え、
前記環境性能記憶部は、前記部屋の環境性能情報を測定日時の情報と対応付けて記憶しており、
前記環境性能記憶部を参照して、前記部屋の環境性能情報の経時変化から、前記部屋の環境性能の経年変化を求め、前記部屋の環境性能が劣化したと判断すると、環境性能の劣化状態を前記報知手段に出力する経年変化判断部を備えたことを特徴とするエネルギー管理装置。
【発明の詳細な説明】
【技術分野】
【０００１】
本発明は、エネルギー管理装置に関するものである。
【背景技術】
【０００２】
従来、建物で使用される、電力、燃料、用水といったエネルギー消費量を測定し、用途が同じ建物の平均値と比較することにより、エネルギー消費の妥当性を判断するエネルギー管理装置が提案されている（例えば特許文献１参照）。
【０００３】
また、建物のエネルギー消費量を管理し、省エネルギーのためのアドバイスを建物の使用者に提案するエネルギー管理装置も従来提案されていた。例えばエネルギー管理装置では、建物内での電力消費量を月毎に計測し、今月の電力消費量が先月分よりも増加した場合、例えば「先月と比べて消費電力が○○Ｗ増加しました。もう少しエアコンの温度を下げましょう」といったアドバイスを使用者に提示して、電力消費の削減を使用者に促している。
【先行技術文献】
【特許文献】
【０００４】
【特許文献１】特開２００３−１６２５７３号公報
【発明の概要】
【発明が解決しようとする課題】
【０００５】
ところで、同じ用途の建物であっても建物毎に断熱性が異なるし、また同じ建物であっても部屋毎に断熱性が異なり、部屋の階層や位置によって室外温度が異なると予想される。断熱性や室外温度が異なると、それによって室内温度が異なり、空調設備を用いて室内の温度を快適に保つために必要な電力も異なると予想される。しかしながら、従来のエネルギー管理装置では、断熱性や室外温度を考慮していない一律の基準値と、電力消費量との高低を比較して、省エネルギーのためのアドバイスを提示しているので、アドバイス通りにすると、空調設備の効きが不十分で、室内環境の快適性が大きく損なわれる可能性もあった。
【０００６】
本発明は上記課題に鑑みて為されたものであり、その目的とするところは、部屋の環境性能に合わせて、快適性を損なうことなく省エネルギーを実現可能なアドバイスを提示できるエネルギー管理装置を提供することにある。
【課題を解決するための手段】
【０００７】
上記課題を解決するために、本願のエネルギー管理装置は、外部環境情報取得部と、環境性能記憶部と、快適温度記憶部と、消費エネルギー計測部と、許容消費エネルギー算出部と、アドバイス出力部を備えたことを特徴とする。外部環境情報取得部は、部屋の温度環境に影響を与える部屋外の外部環境情報を取得する。環境性能記憶部は、温度環境に関わる部屋の環境性能情報を記憶する。快適温度記憶部は、部屋内の人が快適と感じる標準的な快適温度を記憶する。消費エネルギー計測部は、部屋の温度環境を制御する環境制御機器の消費エネルギーを計測する。許容消費エネルギー算出部は、外部環境情報取得部が取得した外部環境情報と部屋の環境性能情報とに基づいて、部屋の温度を快適温度に保つために必要となる環境制御機器の許容消費エネルギーを算出する。アドバイス出力部は、許容消費エネルギー算出部によって算出された許容消費エネルギーと、消費エネルギー計測部によって計測された消費エネルギーとを比較して、省エネルギーを実現するためのアドバイスを報知手段から出力させる。許容消費エネルギー算出部は、環境性能記憶部から取得した部屋の環境性能情報と、外部環境情報取得部から取得した外部環境情報とに基づいて、環境制御機器が使用されない状態での部屋の温度を推定し、この推定温度と快適温度との温度差を調整するために必要な消費エネルギーを許容消費エネルギーとして算出する。
【０００８】
このエネルギー管理装置において、内部環境情報取得部と環境性能計測部とを備えることも好ましい。内部環境情報取得部は、部屋の温度環境に関わる内部環境情報を取得する。環境性能計測部は、外部環境情報取得部が取得した外部環境情報及び内部環境情報取得部が取得した内部環境情報に基づいて、部屋の温度環境に関わる環境性能情報を求め、環境性能記憶部に記憶させる。
【０００９】
このエネルギー管理装置において、現在の日時情報を取得する日時情報取得部を備え、快適温度記憶部には、季節及び時間帯に応じた快適温度が記憶されており、許容消費エネルギー算出部は、日時情報取得部が取得した現在の日時情報に対応する快適温度を快適温度記憶部から取得し、部屋の温度を快適温度に保つために必要な環境制御機器の許容消費エネルギーを算出することも好ましい。
【００１１】
このエネルギー管理装置において、内部環境情報取得部とアドバイス記憶テーブルとを備えることも好ましい。内部環境情報取得部は、部屋の温度環境に関わる内部環境情報として部屋内の温度を取得する。アドバイス記憶テーブルには、内部環境情報取得部と、消費エネルギーの計測値と許容消費エネルギーとの差、及び、部屋の温度と快適温度との差の組み合わせに基づいて、使用者に提示するアドバイスが記憶されている。アドバイス出力部は、消費エネルギー計測部によって計測された消費エネルギーと、許容消費エネルギー算出部によって算出された許容消費エネルギーとの差を求めるとともに、内部環境情報取得部が取得した部屋の温度と、快適温度の差を求め、アドバイス記憶テーブルから該当するアドバイスを取得して、報知手段に出力する。
【００１２】
また、本願のエネルギー管理装置は、外部環境情報取得部と、環境性能記憶部と、快適温度記憶部と、消費エネルギー計測部と、許容消費エネルギー算出部と、アドバイス出力部を備えたことを特徴とする。外部環境情報取得部は、部屋の温度環境に影響を与える部屋外の外部環境情報を取得する。環境性能記憶部は、温度環境に関わる部屋の環境性能情報を記憶する。快適温度記憶部は、部屋内の人が快適と感じる標準的な快適温度を記憶する。消費エネルギー計測部は、部屋の温度環境を制御する環境制御機器の消費エネルギーを計測する。許容消費エネルギー算出部は、外部環境情報取得部が取得した外部環境情報と部屋の環境性能情報とに基づいて、部屋の温度を快適温度に保つために必要となる環境制御機器の許容消費エネルギーを算出する。アドバイス出力部は、許容消費エネルギー算出部によって算出された許容消費エネルギーと、消費エネルギー計測部によって計測された消費エネルギーとを比較して、省エネルギーを実現するためのアドバイスを報知手段から出力させる。環境性能記憶部には、建物内にある複数の部屋の各々について、季節毎の環境性能情報が記憶されており、日時情報取得部と、行動提案判断部を備えることも好ましい。日時情報取得部は現在の日時情報を取得する。行動提案判断部は、日時情報取得部から入力された日時情報をもとに現在の季節を判断し、環境性能記憶部に記憶された、現在の季節における各部屋の環境性能情報に基づいて、許容消費エネルギーが最小となる部屋を求め、この部屋名を報知手段に出力する。
【００１３】
また、本願のエネルギー管理装置は、外部環境情報取得部と、環境性能記憶部と、快適温度記憶部と、消費エネルギー計測部と、許容消費エネルギー算出部と、アドバイス出力部を備えたことを特徴とする。外部環境情報取得部は、部屋の温度環境に影響を与える部屋外の外部環境情報を取得する。環境性能記憶部は、温度環境に関わる部屋の環境性能情報を記憶する。快適温度記憶部は、部屋内の人が快適と感じる標準的な快適温度を記憶する。消費エネルギー計測部は、部屋の温度環境を制御する環境制御機器の消費エネルギーを計測する。許容消費エネルギー算出部は、外部環境情報取得部が取得した外部環境情報と部屋の環境性能情報とに基づいて、部屋の温度を快適温度に保つために必要となる環境制御機器の許容消費エネルギーを算出する。アドバイス出力部は、許容消費エネルギー算出部によって算出された許容消費エネルギーと、消費エネルギー計測部によって計測された消費エネルギーとを比較して、省エネルギーを実現するためのアドバイスを報知手段から出力させる。環境性能記憶部は、部屋の環境性能情報を測定日時の情報と対応付けて記憶しており、経年変化判断部を備えることも好ましい。経年変化判断部は、環境性能記憶部を参照して、部屋の環境性能情報の経時変化から、部屋の環境性能の経年変化を求め、部屋の環境性能が劣化したと判断すると、環境性能の劣化状態を報知手段に出力する。
【発明の効果】
【００１４】
本発明によれば、部屋の環境性能に合わせて、快適性を損なうことなく省エネルギーを実現可能なアドバイスを提示することができる。
【図面の簡単な説明】
【００１５】
【図１】実施形態１のシステム構成図である。
【図２】外部温度と部屋温度の関係を示すグラフである。
【図３】快適温度の設定を示すグラフである。
【図４】外部温度と室内潜在温度と快適温度と調整温度の関係を示すグラフである。
【図５】実施形態１の動作を説明するフローチャートである。
【図６】実施形態２のシステム構成図である。
【図７】同上の動作を説明するフローチャートである。
【図８】実施形態３のシステム構成図である。
【図９】同上の動作を説明するフローチャートである。
【図１０】実施形態４のシステム構成図である。
【図１１】同上の動作を説明するフローチャートである。
【発明を実施するための形態】
【００１６】
以下に、エネルギー管理装置の実施形態を図面に基づいて説明する。
【００１７】
（実施形態１）
図１はエネルギー管理装置１を戸建ての住宅１００に適用した実施形態のシステム構成図であり、エネルギー管理装置１は、住宅１００で使用される電気機器の消費電力を管理する。尚、本実施形態のエネルギー管理装置１は、部屋の温度環境を制御する電気機器の消費電力を管理するものであるが、電力以外の消費エネルギーを管理するものでもよく、例えばガス暖房器具のような環境制御機器で使用されるガス使用量を管理するものでもよい。
【００１８】
住宅１００には複数の部屋１０１〜１０４がある。例えば２階西側の部屋１０１には、部屋内の温度環境を制御する環境制御機器としてエアコン１１０が設置されており、この部屋１０１のエアコン１１０を例にしてエネルギー管理装置１の動作を説明する。
【００１９】
エアコン１１０は、部屋１０１に設けられた電源コンセント１２０から電源供給を受け、操作リモコン１１１で設定された運転状態（冷房、暖房、送風など）で動作する。エアコン１１０の消費電力は、電力測定部２３によって測定されて、エネルギー管理装置１に出力される。
【００２０】
住宅１００の外側には、宅外（つまり部屋１０１の外側）の外部環境情報として外部温度を測定する外部環境情報取得部２１が設置されている。また部屋１０１には、部屋内の内部環境情報として部屋温度を測定する内部環境情報取得部２２が設置されている。
【００２１】
エネルギー管理装置１は、環境性能計測部１１と、環境性能記憶部１２と、快適温度記憶部１３と、許容消費電力算出部１４と、アドバイス出力部１５と、計時部１６とを主要な構成として備えている。
【００２２】
環境性能計測部１１は、部屋１０１内の環境制御機器であるエアコン１１０を動作させない状態で、例えば２４時間、外部環境情報取得部２１及び内部環境情報取得部２２から外部温度の測定結果と部屋温度の測定結果を取り込む。図２は外部温度と部屋温度の変化を示すグラフであり、破線が外部温度Ｔ１を、実線が部屋温度Ｔ２を示している。環境性能記憶部１２では、外部温度Ｔ１と部屋温度Ｔ２の温度差を算出し、この温度差を断熱性能に関わる情報（すなわち温度環境に関わる環境性能情報）として、環境性能記憶部１２に記憶させる。下記の表１は、環境性能記憶部１２に記憶された部屋１０１についての環境性能情報を示しており、季節毎及び時間帯毎に環境性能情報が記憶されている。ここにおいて、環境性能情報は、外部温度から部屋温度を算出する一次式として環境性能記憶部１２に記憶されている。尚、表１は夏季に計測された環境性能情報の一例であり、各々の部屋について、季節毎に各時間帯で計測された環境性能情報が環境性能記憶部１２に記憶されている。
【００２３】
【表１】
0005789740.tif 000002
快適温度記憶部１３には、人間が快適に生活する上で維持すべき標準的な部屋温度が、時間帯毎に記憶されている。表２は快適温度記憶部１３に記憶された快適温度の一例であり、夏季及び冬季において時間帯毎の快適温度が記憶されている。表２の例では季節毎に各時間帯における快適温度の範囲が規定されており、表２の設定値より、夏季では何度以下であれば快適温度であるか、冬季では何度以上であれば快適温度であるかが判る。また、図３は夏季及び冬季の快適温度をグラフで表したものであり、図中のＭ１が夏季の快適温度を示し、Ｍ２が冬季の快適温度を示している。
【００２４】
【表２】
0005789740.tif 000003
許容消費電力算出部１４は、外部環境情報取得部２１から外部温度を取り込むとともに、計時部１６が計時した現在時刻における環境性能情報を環境性能記憶部１２から読み込み、部屋１０１の部屋温度を推測する（この推測値を室内潜在温度という）。次に許容消費電力算出部１４は、現在時刻における快適温度を快適温度記憶部１３から読み込み、室内潜在温度と快適温度との差を調整温度差として求める。夏季の場合、室内潜在温度が快適温度よりも高くなると予想されるので、室内潜在温度から快適温度を差し引いた差分が調整温度差として求められる。図４は、夏季の１日における外部温度Ｔ１、室内潜在温度Ｔ３、快適温度Ｍ１を示し、許容消費電力算出部１４は、表１に示す環境性能情報をもとに、外部温度Ｔ１から室内潜在温度Ｔ３を求める。そして、各時刻において室内潜在温度Ｔ３と快適温度Ｍ１との温度差Δｔが調整温度差として求められる。
【００２５】
このようにして調整温度差が求まると、許容消費電力算出部１４は、調整温度差をもとに消費電力変換テーブルを参照して、部屋温度を快適温度に調整するのに必要な許容消費電力を求め、この許容消費電力をアドバイス出力部１５に出力する。表３は消費電力変換テーブルの一例を示し、調整温度差と、エアコン１１０で調整温度差を調整するために必要な消費電力とが対応付けて記憶されている。
【００２６】
【表３】
0005789740.tif 000004
アドバイス出力部１５は、電力測定部２３から入力されたエアコン１１０の消費電力と、許容消費電力算出部１４から入力された許容消費電力との高低を比較し、比較結果に基づいて省エネルギーを実現するためのアドバイスを作成する。例えば電力測定部２３によって測定された消費電力が許容消費電力を超えていれば、アドバイス出力部１５は、「電力の使いすぎです。エアコンの設定温度を上げて下さい」というように消費電力を下げるように促すアドバイスを作成する。また電力測定部２３によって測定された消費電力が許容消費電力以下であれば、アドバイス出力部１５は、「エアコンの設定温度は適切です」というように、エアコン１１０が適切に使用されていることを報知するアドバイスを作成する。そして、アドバイス出力部１５は、作成したアドバイスを、部屋１０１に設けられた表示装置２４（例えば液晶ディスプレイからなる）に出力し、表示装置２４の画面上に上記のアドバイスを表示させることで、部屋１０１にいる使用者にアドバイスを提示する。
【００２７】
ここで、図５のフローチャートを参照して、エネルギー管理装置１が表示装置２４にアドバイスを提示する処理をまとめて説明する。
【００２８】
エネルギー管理装置１のアドバイス出力部１５は、アドバイスを提示する処理を定期的に行っており、先ず電力測定部２３からエアコン１１０の消費電力（現在の測定結果）を取り込み（Ｓ１）、許容消費電力算出部１４から許容消費電力を取り込む（Ｓ２）。アドバイス出力部１５は、エアコン１１０の消費電力と許容消費電力との高低を比較する（Ｓ３）。ここで、エアコン１１０の消費電力が許容消費電力以上であれば（Ｓ３のＹｅｓ）、アドバイス出力部１５は「電力の使いすぎです。エアコンの設定温度を上げて下さい」というアドバイスを作成し、表示装置２４に表示させる（Ｓ４）。またエアコン１１０の消費電力が許容消費電力未満であれば（Ｓ３のＮｏ）、アドバイス出力部１５は「エアコンの設定温度は適切です」というアドバイスを作成して、表示装置２４に表示させる（Ｓ５）。
【００２９】
以上説明したように、本実施形態のエネルギー管理装置は、外部環境情報取得部２１と、環境性能記憶部１２と、快適温度記憶部１３と、消費エネルギー計測部（電力測定部２３）と、許容消費電力算出部１４と、アドバイス出力部１５を備えている。外部環境情報取得部２１は、部屋の温度環境に影響を与える部屋外の外部環境情報を取得する。環境性能記憶部１２は、温度環境に関わる部屋の環境性能情報を記憶する。快適温度記憶部１３は、部屋内の人が快適と感じる標準的な快適温度を記憶する。消費エネルギー計測部は、部屋の温度環境を制御する環境制御機器の消費エネルギーを計測する。許容消費エネルギー算出部は、外部環境情報取得部２１が取得した外部環境情報と部屋の環境性能情報とに基づいて、部屋の温度を快適温度に保つために必要となる環境制御機器の許容消費エネルギーを算出する。アドバイス出力部１５は、許容消費エネルギー算出部によって算出された許容消費エネルギーと、消費エネルギー計測部によって計測された消費エネルギーとを比較して、省エネルギーを実現するためのアドバイスを報知手段（表示装置２４）から出力させる。
【００３０】
これにより、許容エネルギー算出部では、外部環境情報取得部２１が取得した外部環境情報と部屋の環境性能情報とに基づいて、部屋の温度を快適温度に保つのに必要な許容消費エネルギーを算出しているので、部屋毎の環境性能を考慮して許容消費エネルギーを求めることができる。そして、アドバイス出力部は、消費エネルギー計測部によって計測された消費エネルギーと許容消費エネルギーとを比較して、省エネルギーを実現するためのアドバイスを報知手段に出力しているので、部屋毎の環境性能を考慮に入れたアドバイスを提示できる。したがって、部屋毎の環境性能の違いを考慮せず、一律にアドバイスを作成する場合に比べて、部屋の環境性能に基づいて適切なアドバイスを提供できるから、快適性を損なうことなく、省エネルギーを実現可能なアドバイスを居住者に提示することができる。
【００３１】
また本実施形態のエネルギー管理装置１は、上記の構成に加えて、内部環境情報取得部２２と環境性能計測部１１を備えている。内部環境情報取得部２２は、部屋の温度環境に関わる内部環境情報を取得する。環境性能計測部１１は、外部環境情報取得部２１が取得した外部環境情報及び内部環境情報取得部２２が取得した内部環境情報に基づいて、部屋の温度環境に関わる環境性能情報を求め、環境性能記憶部１２に記憶させる。
【００３２】
これにより、部屋毎に環境性能が異なる場合や、経時変化によって部屋の環境性能が変化する場合でも、部屋の現在の環境性能を測定することで、実際の環境性能に基づいて許容消費エネルギーを測定でき、より適切なアドバイスを提供できる。
【００３３】
また本実施形態のエネルギー管理装置１は、上記の構成に加えて、現在の日時情報を取得する日時情報取得部（計時部１６）を備え、快適温度記憶部１３には、季節及び時間帯に応じた快適温度が記憶されている。そして、許容消費エネルギー算出部は、日時情報取得部が取得した現在の日時情報に対応する快適温度を快適温度記憶部から取得し、部屋の温度を快適温度に保つために必要な環境制御機器の許容消費エネルギーを算出する。
【００３４】
これにより、快適温度記憶部から現在の季節及び時間帯に応じた快適温度を読み込み、この快適温度を用いて許容消費エネルギーを算出することができる。人間が快適と感じる温度は季節及び時間帯によって変化すると考えられるので、快適温度を季節や時間帯によらず一定として許容消費エネルギーを算出する場合に比べて、人間の感覚に合わせて最適な許容消費エネルギーを算出することができる。
【００３５】
また本実施形態のエネルギー管理装置１では、許容消費エネルギー算出部（許容消費電力算出部１４）が、環境性能記憶部１２から取得した部屋の環境性能情報と、外部環境情報取得部２１から取得した外部環境情報とに基づいて、環境制御機器が使用されない状態での部屋の温度を推定する。そして、許容消費エネルギー算出部は、この推定温度（室内潜在温度）と快適温度との温度差を調整するために必要な消費エネルギーを許容消費エネルギーとして算出している。
【００３６】
これにより、許容消費エネルギー算出部は、外部環境と部屋の環境性能を考慮して室内潜在温度を求め、この室内潜在温度と快適温度との温度差から許容消費エネルギーを算出しているので、部屋の温度性能と外部環境の両方を考慮して、部屋の温度を快適温度に保つための許容消費エネルギーを算出することができる。
【００３７】
（実施形態２）
図６に本実施形態のシステム構成図を示す。本実施形態は、実施形態１で説明したエネルギー管理装置１にアドバイス記憶テーブル１７を追加したものである。尚、アドバイス記憶テーブル１７以外の構成は実施形態１と同様であるので、共通する構成要素には同一の符号を付して、その説明は省略する。
【００３８】
アドバイス記憶テーブル１７には、消費電力の計測値と許容消費電力との差（電力差分値）、及び、部屋の温度と快適温度との差（調整温度差）の組み合わせに基づいて、使用者に提示するアドバイスが記憶されている。下記の表４はアドバイス記憶テーブル１７に記憶されたアドバイスの一例であり、上述の電力差分値と調整温度差との組み合わせに応じたアドバイスが設定されている。
【００３９】
【表４】
0005789740.tif 000005
アドバイス出力部１５は、アドバイス記憶テーブル１７からアドバイスを選択して、表示装置２４に出力するのであるが、このアドバイス出力部１５の動作を図７のフローチャートに基づいて説明する。
【００４０】
先ず、アドバイス出力部１５は、電力測定部２３からエアコン１１０の消費電力（現在の測定結果）を取り込む（Ｓ１１）。ここで、エアコン１１０の消費電力が例えば５５０Ｗであるとする。
【００４１】
次に、アドバイス出力部１５は、許容消費電力算出部１４から許容消費電力を取り込む（Ｓ１２）。尚、許容消費電力算出部１４は、実施形態１で説明したように、外部温度と部屋１０１の環境性能とを用いて室内潜在温度を求め、この室内潜在温度と快適温度との差分である調整温度から許容消費電力を求めており、例えば５００〜６００Ｗと求まったとする。
【００４２】
また、アドバイス出力部１５は、計時部１６が求めた現在の日時情報をもとに、快適温度記憶部１３から現在の快適温度を取り込み（Ｓ１３）、例えば快適温度が２８℃未満と求まったとする。
【００４３】
また、アドバイス出力部１５は、内部環境情報取得部２２から部屋温度の測定値を取り込んでおり（Ｓ１４）、例えば部屋温度が２９℃と求まったとする。
【００４４】
アドバイス出力部１５は、これら４つの値（消費電力、許容消費電力、快適温度、部屋温度）を用いてアドバイス記憶テーブル１７を参照し、該当するアドバイスを取得して（Ｓ１５）、取得したアドバイスを表示装置２４に表示させる。上記の例では、アドバイス出力部１５は、エアコン１１０の消費電力（５５０Ｗ）が許容消費電力（５００〜６００Ｗ）と一致し、室温（２９℃）が快適温度（２８℃未満）よりも高いと判断する。そして、アドバイス出力部１５は、表４のアドバイス記憶テーブル１７から該当するメッセージ「部屋の空気が漏れている可能性があります。窓や扉は閉まっていますか？」を選択し、選択したメッセージを表示装置２４に表示させる。
【００４５】
上述のように本実施形態のエネルギー管理装置１は、上記の構成に加えて、内部環境情報取得部２２とアドバイス記憶テーブル１７を備えている。内部環境情報取得部２２は、部屋の温度環境に関わる内部環境情報として部屋内の温度を取得する。アドバイス記憶テーブル１７は、消費エネルギーの計測値と許容消費エネルギーとの差、及び、部屋の温度と快適温度との差の組み合わせに基づいて、使用者に提示するアドバイスを記憶する。アドバイス出力部１５は、消費エネルギー計測部によって計測された消費エネルギーと、許容消費エネルギー算出部によって算出された許容消費エネルギーとの差を求めるとともに、内部環境情報取得部２２が取得した部屋の温度と、快適温度の差を求める。そして、アドバイス出力部１５は、環境制御機器の消費エネルギーと許容消費エネルギーとの差、及び、部屋温度と快適温度との差に基づいて、アドバイス記憶テーブル１７から該当するアドバイスを取得して、報知手段に出力する。
【００４６】
これにより、アドバイス出力部１５では、環境制御機器で実際に消費されている消費エネルギーと許容消費エネルギー、部屋の実際の温度と快適温度の差を比較することで、省エネルギーへの取り組みがどの程度行われているか、或いは、冷気や暖気が室外に漏れていないかを判断することが可能になる。したがって、居住者の行動や、部屋のドアや窓の状態を想定した具体的なアドバイスを提供することができる。
【００４７】
尚、アドバイス記憶テーブル１７には、環境制御機器の消費エネルギーと許容消費エネルギーとの差、及び、部屋温度と快適温度との差という２つの条件に対応してアドバイスが記憶されているが、部屋の外部照度と内部照度の差という条件を上記の２条件に加えた３つの条件に対応付けて、アドバイスを記憶させ、こられ３つの条件を用いて該当するアドバイスを選択するようにしてもよい。
【００４８】
また、後述する実施形態２，３のエネルギー管理装置１に、本実施形態で説明した内部環境情報取得部２２及びアドバイス記憶テーブル１７を追加し、アドバイス出力部１５が、消費エネルギー計測部によって計測された消費エネルギーと、許容消費エネルギー算出部によって算出された許容消費エネルギーとの差を求めるとともに、内部環境情報取得部が取得した部屋の温度と、快適温度の差を求め、アドバイス記憶テーブルから該当するアドバイスを取得して、報知手段に出力してもよい。
【００４９】
（実施形態３）
図８に本実施形態のシステム構成図を示す。本実施形態は、実施形態１で説明したエネルギー管理装置１に行動提案判断部１８が追加されている。尚、行動提案判断部１８以外の構成は実施形態１と同様であるので、共通する構成要素には同一の符号を付して、その説明は省略する。
【００５０】
環境性能記憶部１２には、住宅１００内にある複数の部屋の各々について、複数の日時条件における環境性能情報が記憶されている。下記の表５は環境性能記憶部１２に記憶された環境性能情報の一例であり、住宅１００内の複数の部屋（例えば２階南側、１階ＤＫ、１階居間など）について季節毎、時間帯毎に環境性能情報が記憶されている。
【００５１】
【表５】
0005789740.tif 000006
快適温度記憶部１３には、季節毎の快適温度が記憶されている。
【００５２】
行動提案判断部１８は、計時部１６から入力された日時情報をもとに現在の季節を判断する。そして、行動提案判断部１８は、環境性能記憶部１２に記憶された各部屋の環境性能情報に基づいて、許容消費エネルギーが最小となる部屋を求め、この部屋名を表示装置２４に表示させる。
【００５３】
ここで、行動提案判断部１８の動作を図９のフローチャートに基づいて説明する。
【００５４】
行動提案判断部１８は、例えば所定の時刻がくるか、或いは、ユーザによる操作入力があると、処理を開始し、先ず計時部１６から現在の日時情報（月日および時刻）を取得する（Ｓ２１）。
【００５５】
行動提案判断部１８は、取得した日時情報をもとに、現在の月が６月から９月までであるか否かを判断し（Ｓ２２）、６月から９月までの間であれば（Ｓ２２のＹｅｓ）、現在の季節を夏季と判断する（Ｓ２３）。行動提案判断部１８は、環境性能記憶部１２を参照して、夏季の同時刻における各部屋の環境性能情報を比較し、最も温度上昇の低い部屋の名称を抽出する（Ｓ２４）。そして、行動提案判断部１８は、Ｓ２４で抽出した部屋名とともに、「夏場はこの部屋が比較的涼しく、電気代も抑えられます。」というメッセージを表示装置２４に出力させた後（Ｓ２５）、処理を終了する。
【００５６】
またＳ２２において現在の月が６月から９月までの間でなければ（Ｓ２２のＮｏ）、行動提案判断部１８は、取得した日時情報をもとに、現在の月が１１月から２月までであるか否かを判断する（Ｓ２６）。ここで、現在の月が１１月から２月までの間でなければ（Ｓ２６のＮｏ）、行動提案判断部１８は処理を終了する。一方、現在の月が１１月から２月までの間であれば（Ｓ２６のＹｅｓ）、行動提案判断部１８は現在の季節を冬季と判断する（Ｓ２７）。行動提案判断部１８は、環境性能記憶部１２を参照して、冬季の同時刻における各部屋の環境性能情報を比較し、最も温度上昇の高い部屋の名称を抽出する（Ｓ２８）。そして、行動提案判断部１８は、Ｓ２８で抽出した部屋名とともに、「冬場はこの部屋が比較的暖かく、電気代も抑えられます。」というメッセージを表示装置２４に出力させた後（Ｓ２９）、処理を終了する。
【００５７】
例えば現在の日時が８月２０日の１３：００である場合、行動提案判断部１８は、Ｓ２２の判断で、現在の季節が夏季であると判断する（Ｓ２３）。行動提案判断部１８は、環境性能記憶部１２を参照し、夏季の１３：００における各部屋の環境性能情報を比較し、最も温度上昇の低い部屋として「１階居間」を選択する（Ｓ２４）。そして、行動提案判断部１８は、「１階居間」という部屋名とともに、「夏場はこの部屋が比較的涼しく、電気代も抑えられます。」というメッセージを表示装置２４に出力させており、居住者に１階居間で過ごすよう提案することで、エネルギー消費の抑制を図っている。
【００５８】
以上説明したように、本実施形態のエネルギー管理装置１では、環境性能記憶部１２に、建物内にある複数の部屋の各々について、季節毎の環境性能情報が記憶されており、日時情報取得部（計時部１６）と行動提案判断部１８が追加して設けられている。日時情報取得部は現在の日時情報を取得する。行動提案判断部は、日時情報取得部から入力された日時情報をもとに現在の季節を判断し、環境性能記憶部１２に記憶された、現在の季節における各部屋の環境性能情報に基づいて、許容消費エネルギーが最小となる部屋を求め、この部屋名を報知手段に出力する。
【００５９】
これにより、行動提案判断部では、現在の季節における各部屋の環境性能情報に基づいて、許容消費エネルギーが最小となる部屋を求め、この部屋名を報知手段に出力させているので、許容消費エネルギーが最小の部屋で過ごすよう居住者に促すことができる。したがって、夏季であれば比較的涼しい部屋、冬季であれば比較的暖かい部屋で過ごすように居住者に促すことができ、無理なく省エネルギーが実現できるライフスタイルを居住者に対して提案することができる。
【００６０】
また、上述の実施形態２や後述する実施形態４において、環境性能記憶部１２に、建物内にある複数の部屋の各々について、季節毎の環境性能情報を記憶させるとともに、日時情報取得部（計時部１６）と行動提案判断部１８を追加して設けてもよく、上述と同様の効果が得られる。
【００６１】
（実施形態４）
図１０に本実施形態のシステム構成図を示す。本実施形態は、実施形態１で説明したエネルギー管理装置１に経年変化判断部１９が追加されている。尚、経年変化判断部１９以外の構成は実施形態１と同様であるので、共通する構成要素には同一の符号を付して、その説明は省略する。
【００６２】
環境性能計測部１１は、部屋１０１内の温度環境を制御する環境制御機器（エアコン１１０など）を動作させない状態で、例えば２４時間、外部環境情報取得部２１及び内部環境情報取得部２２から外部温度の測定結果と部屋温度の測定結果を取り込む。環境性能記憶部１２では、外部温度と部屋温度の温度差を算出し、この温度差を断熱性能に関わる情報（すなわち温度環境に関わる環境性能情報）として、計時部１６から取得した現在の日時情報（測定日時）と共に環境性能記憶部１２に記憶させる。
【００６３】
環境性能記憶部１２は、環境性能計測部１１から入力された各部屋の環境性能情報が、測定日時を示す日時情報と対応付けて記憶する。下記の表６は環境性能記憶部１２に記憶された環境性能情報の一例であり、住宅１００内の部屋（例えば２階南側、１階ＤＫ、１階居間など）毎に、複数日測定された環境性能情報が、その測定日時の情報と対応付けて記憶されている。
【００６４】
【表６】
0005789740.tif 000007
経年変化判断部１９は、環境性能記憶部１２を参照して、各部屋の環境性能情報の経時変化から、温度環境に関わる環境性能（例えば断熱性能や気密性能）の経年変化を求め、環境性能が低下している部屋があると、環境性能の劣化を表示装置２４に出力する。
【００６５】
ここで、経年変化判断部１９の動作を図１１のフローチャートに基づいて説明する。経年変化判断部１９では、例えば所定の時刻がくるか、或いは、ユーザによる操作入力があると、経年変化の判断処理を開始し、環境性能記憶部１２から各部屋の環境性能情報の履歴を読み込む（Ｓ３１）。経年変化判断部１９は、部屋毎に昼間の環境性能情報を参照し、測定日時が最も古いデータと、測定日時が最も新しいデータとを比較して、両者の温度差を求めており（Ｓ３２）、この温度差が５℃以上であるか否かを判定する（Ｓ３３）。経年変化による環境性能の温度差が５℃以上であれば（Ｓ３３のＹｅｓ）、経年変化判断部１９は、この部屋の環境性能が低下したと判断する。そして、経年変化判断部１９は、測定日時の差から何年間の変化であるかを求め（Ｓ３４）、経時変化を使用者に報知するメッセージを表示装置２４に表示させる。このメッセージは、例えば「○年前と比較して断熱性能が低下しており、光熱費がかさむ原因になります。断熱材や窓サッシのリフォームを検討されてはいかがでしょうか」というような内容であり、使用者に環境性能の劣化を報知して、対策を促している。
【００６６】
例えば表６に示すような環境性能情報の履歴データが環境性能記憶部１２に記憶されている場合、経年変化判断部１９では、部屋毎に、２００５年８月１日に測定された昼間（１２時〜１５時）の環境性能情報と、２０１０年８月１日に測定された昼間の環境性能情報を比較する。そして、経年変化判断部１９は、両日の環境性能情報の差を求めることによって、環境性能情報の経年変化を求め、経年変化の温度差が５℃以上であるか否かを判定する。その結果、経年変化判断部１９では、２階南の部屋について経年変化の温度差が５℃以上になったと判断し、「２階南の部屋は５年前と比較して断熱性能が低下しており、光熱費がかさむ原因になります。断熱材や窓サッシのリフォームを検討されてはいかがでしょうか」というメッセージを表示装置２４に表示させており、この部屋の環境性能が劣化していることを居住者に知らしめることができる。
【００６７】
以上説明したように、本実施形態のエネルギー管理装置１では、環境性能記憶部１２が、部屋の環境性能情報を測定日時の情報と対応付けて記憶している。そして、経年変化判断部１９は、環境性能記憶部１２を参照して、部屋の環境性能情報の経時変化から、部屋の環境性能の経年変化を求め、部屋の環境性能が劣化したと判断すると、環境性能の劣化状態を報知手段に出力する。
【００６８】
これにより、経年変化判断部１９では、部屋の環境性能を複数回測定した結果に基づいて、部屋の環境性能が劣化したか否かを判断でき、環境性能が劣化したと判断すると、環境性能の劣化状態を報知手段に報知させることができる。したがって、この報知を受けた居住者は、部屋の環境性能を改善するような対策を検討することができ、省エネルギーに対する取り組みを居住者に促すことができる。
【符号の説明】
【００６９】
１  エネルギー管理装置
１１  環境性能計測部
１２  環境性能記憶部
１３  快適温度記憶部
１４  許容消費電力算出部（許容消費エネルギー算出部）
１５  アドバイス出力部
１６  計時部（日時情報取得部）
２１  外部環境情報取得部
２２  内部環境情報取得部
２３  電力測定部（消費エネルギー計測部）
２４  表示装置（報知手段）
１００  住宅
１０１〜１０４  部屋
１１０  エアコン
【図１】
0005789740.tif 000008
【図２】
0005789740.tif 000009
【図３】
0005789740.tif 000010
【図４】
0005789740.tif 000011
【図５】
0005789740.tif 000012
【図６】
0005789740.tif 000013
【図７】
0005789740.tif 000014
【図８】
0005789740.tif 000015
【図９】
0005789740.tif 000016
【図１０】
0005789740.tif 000017
【図１１】
0005789740.tif 000018